(57)【要約】【課題】名刺情報を登録管理する名刺登録管理システムに関し、名刺情報の本人プロフィール情報を登録し、その全項目又は一部項目の閲覧制限を可能とする。【解決手段】ネットワーク９を介して端末装置５，６からアクセス可能で、且つハードディスク３，４によるデータベースを備えたサーバ１，２を有し、サーバ１，２は、データベースに、端末装置５，６からの要求に従って、名刺詳細情報の本人プロフィール情報と、この本人プロフィール情報を指定する個人キーと、本人プロフィール情報の閲覧の可否を示す閲覧キーとを対応させて登録し、名刺交換した相手の個人キーをフレンドリストとして登録する手段と、端末装置５，６からの個人キーと閲覧キーとを含む閲覧要求に従って、データベースから個人キー対応の本人プロフィール情報を閲覧キーに従った範囲で読出して、端末装置５，６へ送出制御する手段とを含む構成を備えている。【選択図】図１
2009043075.tif 000002
【特許請求の範囲】
【請求項１】
ネットワークを介して端末装置からアクセス可能で、且つデータベースを備えたサーバを有する名刺登録管理システムに於いて、
前記サーバは、前記データベースに、前記端末装置からの要求に従って、名刺詳細情報の本人プロフィール情報と、該本人プロフィール情報の本人を指定する個人キーと、該本人プロフィール情報の閲覧の可否を示す閲覧キーとを対応させて登録し、名刺交換した相手の個人キーをフレンドリストとして登録する手段と、前記端末装置からの前記個人キーと前記閲覧キーとを含む閲覧要求に従って、前記データベースから前記個人キー対応の本人プロフィール情報を前記閲覧キーに従った範囲で読出して、前記端末装置へ送出制御する手段とを含む構成を備えた
ことを特徴とする名刺登録管理システム。
【請求項２】
前記サーバは、前記端末装置からの前記本人プロフィール情報の閲覧要求時の閲覧キーが登録本人プロフィール情報の閲覧キーと一致するか否か、及び前記閲覧要求時の個人キーが前記フレンドリストに登録されているか否かに従って、前記本人プロフィール情報の全項目又は一部の項目の閲覧を制限する制御手段を備えていることを特徴とする請求項１記載の名刺登録管理システム。
【請求項３】
前記サーバは、前記端末装置からの要求に従って名刺交換により受け取った名刺の前記本人プロフィール情報を名刺フォルダーに登録する名刺管理データベースを備えていることを特徴とする請求項１記載の名刺登録管理システム。
【請求項４】
前記端末装置は、名刺に印刷された前記本人プロフィール情報の登録先を示すＵＲＬと、前記個人キーと、前記閲覧キーとを読取る読取手段と、該読取手段により読取った前記ＵＲＬと前記個人キーと前記閲覧キーとを基に前記サーバにアクセスして、前記本人プロフィール情報を受信表示する手段とを含む構成を備えたことを特徴とする請求項１記載の名刺登録管理システム。
【発明の詳細な説明】
【技術分野】
【０００１】
本発明は、名刺情報をデータベースに登録し、第三者からの閲覧要求の条件に従って閲覧範囲を制御可能とした名刺登録管理システムに関する。
【背景技術】
【０００２】
名刺交換を行った相手側の名刺は、会社名対応や氏名のイロハ順等に従って整理保存する場合が一般的であり、又相手側の所属会社の変更等の場合があるから、最新の名刺を保存する必要がある。このような紙文書の多数の名刺の整理保存は容易ではないから、例えば、名刺をスキャナにより読取って、画像情報として整理保存するか、更に、ＯＣＲ機能により文字情報に変換して、整理保存する手段が知られている。又名刺を電子情報化して、例えば、携帯電話機等の携帯端末間で、赤外線通信方式等により相互間で名刺交換を行う手段や、インターネットを介して名刺交換を行うシステム等が知られている。
【０００３】
又名刺に印刷したバーコードを読取り、ネットワークを介してホームページにアクセスして、名刺の本人のプロフィール情報の閲覧を可能とした手段が提案されている（例えば、特許文献１参照）。又名刺に印刷した二次元コードを読取ってサーバにアクセスし、データベースから名刺情報を読出す名刺情報管理システムも提案されている（例えば、特許文献２参照）。又氏名と共に、会社名、所属部署名等を印刷した名刺に、本人の詳細なプロフィール情報をネットワーク上で閲覧可能とするアドレス等の情報と、照合用のキー情報とをバーコードにより印刷し、本人プロフィール情報は、本人のホームページ上で最新情報に更新可能とするか、又は複数の利用者に対して運用サービス業者が提供するサーバのデータベース上で管理することを可能とした手段が提案されている（例えば、特許文献３参照）。
【特許文献１】特開２００４−０３８８６３号公報
【特許文献２】特開２００４−３０３１７８号公報
【特許文献３】特開２００４−３０６３４６号公報
【発明の開示】
【発明が解決しようとする課題】
【０００４】
交換した名刺の管理及び整理は、枚数が多くなるに従って煩雑となり、各種の管理手段が提案されている。このような名刺の管理及び整理の手段として、名刺を電子情報化してデータベースに保存し、ネットワーク等を介して交換することも提案されており、相互に最新の所属情報等を取得することができるが、現状では、面会した場合の名刺交換は、紙に印刷した名刺による場合が殆どである。この紙の名刺にバーコードや二次元コードを印刷し、それを読取って、ネットワークを介してアクセスしたデータベースから、相手のプロフィール情報を読み出すことを可能としたシステムは、例えば、前記特許文献１〜３に示すように提案されている。
【０００５】
しかし、不特定多数の人に名刺を手渡す場合は、データベースに登録した名刺の印刷情報の勤務先や所属部署名等の情報であれば、データベースから第三者が読み出しても大きな問題は生じないが、例えば、本人のメールアドレス情報等も含まれている場合が多く、従って、迷惑メール等の問題が発生する可能性が高くなる。又検索ロボット等により本人プロフィール情報の検索を可能とすることが考えられているが、本人プロフィール情報を悪用する可能性の問題がある。なお、相互に名刺を交換した場合は、相互にある程度の信頼が得られているから、本人プロフィール情報を読出されても殆どの場合は問題が生じない。しかし、実際に相互に名刺交換したか否かを判定できないと共に、開示可能とする本人プロフィール情報の範囲を限定することはできない問題があった。
【０００６】
本発明は、前述の従来例の問題点を解決することを目的とし、名刺交換した相手側をフレンドリストとして登録することにより、その相手側からの本人プロフィール情報の総ての閲覧を可能とし、又フレンドリストとして登録していない場合は、本人プロフィール情報の閲覧範囲を制限可能とするものである。
【課題を解決するための手段】
【０００７】
本発明の名刺登録管理システムは、ネットワークを介して端末装置からアクセス可能で、且つデータベースを備えたサーバを有する名刺登録管理システムに於いて、サーバは、前記データベースに、端末装置からの要求に従って、名刺詳細情報の本人プロフィール情報と、この本人プロフィール情報の本人を指定する個人キーと、本人プロフィール情報の閲覧の可否を示す閲覧キーとを対応させて登録し、名刺交換した相手の個人キーをフレンドリストとして登録する手段と、端末装置からの個人キーと閲覧キーとを含む閲覧要求に従って、前記データベースから個人キー対応の本人プロフィール情報を閲覧キーに従った範囲で読出して、端末装置へ送出制御する手段とを含む構成を備えている。
【０００８】
又前記サーバは、端末装置からの本人プロフィール情報の閲覧要求時の閲覧キーが登録本人プロフィール情報の閲覧キーと一致するか否か、及び閲覧要求時の個人キーがフレンドリストに登録されているか否かに従って、本人プロフィール情報の全項目又は一部の項目の閲覧を制限する制御手段を備えている。又前記サーバは、端末装置からの要求に従って名刺交換により受け取った名刺の本人プロフィール情報を名刺フォルダーに登録する名刺管理データベースを備えている。
【０００９】
前記端末装置は、名刺に印刷された前記本人プロフィール情報の登録先を示すＵＲＬと、個人キーと、閲覧キーとを読取る読取手段と、この読取手段により読取ったＵＲＬと個人キーと閲覧キーとを基にサーバにアクセスして、本人プロフール情報を受信表示する手段とを含む構成を備えている。
【発明の効果】
【００１０】
本人プロフィール情報の第三者による閲覧を、閲覧キー及び名刺交換による相手側の個人キーのフレンドリストへの登録の有無によって、全項目又は一部の項目について閲覧制限を行うことができるから、不特定多数の閲覧者に対する本人プロフィール情報の提供を制限できるから、名刺登録管理の信頼性を向上することができる。又サーバにより管理するデータベースに登録した本人プロフィール情報を、既に知られている本人認証手段により、本人からのアクセスによる修正によって、常に最新の情報内容とすることができる。又インターネットとの融合を図り、各種の応用を可能とすることができる。
【発明を実施するための最良の形態】
【００１１】
本発明の名刺登録管理システムは、図１を参照すると、ネットワーク９を介して端末装置５，６からアクセス可能で、且つハードディスク３，４によるデータベースを備えたサーバ１，２を有する名刺登録管理システムであって、サーバ１，２は、データベースに、端末装置５，６からの要求に従って、名刺詳細情報の本人プロフィール情報と、この本人プロフィール情報の本人を指定する個人キーと、本人プロフィール情報の閲覧の可否を示す閲覧キーとを対応させて登録し、名刺交換した相手の個人キーをフレンドリストとして登録する手段と、端末装置５，６からの個人キーと閲覧キーとを含む閲覧要求に従って、データベースからＵＲＬ対応の本人プロフィール情報を閲覧キー、個人キーに従った範囲で読出して、端末装置５，６へ送出制御する手段とを含む構成を備えている。
【実施例１】
【００１２】
図１は、本発明の実施例１の説明図であり、１，２はサーバ、３，４はデータベースを構成するハードディスク、５，６はインターネット接続が可能のパーソナルコンピュータ等の端末装置、７，８は二次元コードスキャナ、９はネットワーク、１０，１１は名刺、ＱＲＡ，ＱＲＢは名刺に印刷した二次元コード（例えば、ＱＲコード（Ｑｕｉｃｋ  Ｒｅｓｐｏｎｓｅ  Ｃｏｄｅ））を示し、ＡＡ氏とＢＢ氏とが名刺１０，１１を交換した場合を示す。又ＡＡ氏側は、端末装置５からネットワーク９を介してアクセス可能のサーバ１とハードディスク３とを含む名刺登録管理システムのハードディスク３に本人プロフィール情報を登録し、ＢＢ氏側は、端末装置６からネットワーク９を介してアクセス可能のサーバ２とハードディスク４とを含む名刺登録管理システムのハードディスク４に本人プロフィール情報を登録してある場合を示す。
【００１３】
又ＡＡ氏とＢＢ氏とが交換する名刺１０，１１には、本人の氏名と勤務先の会社名等を印刷すると共に、本人プロフィール情報の閲覧先を示すＵＲＬと、閲覧キーと、個人キーとを含めて、二次元コードＱＲＡ，ＱＲＢとして印刷しておくものである。ＵＲＬは、本人プロフィール情報の検索キーとし、閲覧キー、個人キーは、本人プロフィール情報の全部を閲覧可能とするか否かを制御する為のキーとする。この二次元コードＱＲＡ，ＱＲＢを二次元コードスキャナ７，８により読取り、端末装置５，６に於いて内容を認識し、二次元コードＱＲＡ，ＱＲＢに含まれているＵＲＬを用いて端末装置５，６からサーバ１，２に対してアクセスすることができる。
【００１４】
又ハードディスク３，４に、前述の本人プロフィール情報と、名刺交換した相手を示すフレンドリストとを登録する構成と、それぞれ受け取った名刺についての本人プロフィール情報を、名刺管理データベースを構成する名刺フォルダーに登録保存する構成とを設ける。又サーバ１，２は、フレンドリストに登録した相手からの本人プロフィール情報の閲覧要求があった場合は、本人プロフィール情報の全部を閲覧可能とし、フレンドリストに登録されていない相手からの本人プロフィール情報の閲覧要求に対しては、本人プロフィール情報の一部は秘匿して閲覧可能とする制御を行う。又サーバ１とハードディスク３とを含むＡＡ氏側の名刺登録管理システムと、サーバ２とハードディスク４とを含むＢＢ氏側の名刺登録管理システムとを、共通のサーバとハードディスクとによる名刺登録管理システムとして構成することができる。又データベースを構成するハードディスクに、前述のユーザ対応の名刺フォルダーを含む名刺管理データベースを形成して、受け取った名刺の本人プロフィール情報を整理保存することができる。例えば、ＡＡ氏は、ＢＢ氏の本人プロフィール情報を閲覧し、ＡＡ氏の名刺フォルダーにＢＢ氏の本人プロフィール情報を保存することにより、ＡＡ氏は、必要に応じて、ＡＡ氏の名刺フォルダーにアクセスして、ＢＢ氏の本人プロフィール情報を随時名刺情報として閲覧することが可能となる。
【００１５】
各サーバ１，２は、端末装置５，６からネットワーク９を介してアクセスしたＡＡ氏やＢＢ氏からの登録要求によって、それぞれの本人プロフィール情報を、ハードディスク３，４に登録すると共に、本人プロフィール情報の一部の項目又は全項目について、閲覧キーの照合一致を確認できない場合には、閲覧させないように予め登録設定することができる。又名刺１０，１１に印刷した二次元コードＱＲＡ，ＱＲＢを二次元コードスキャナ７，８により読取って、端末装置５，６からネットワーク９を介してサーバ１，２にアクセス可能とし、又それぞれ名刺交換した相手の情報を、端末装置５，６からフレンドリストに登録することにより、その相手からの本人プロフィール情報の読出しの要求により、ハードディスク３，４から読出して、端末装置５，６に送出するようにサーバ１，２は制御する機能を備えている。
【００１６】
図２は、本発明の実施例１の要部構成説明図であり、２０は端末装置、２１はブラウザクライアント、２２は表示入力部、２３は表示装置、２４はキーボード、２５は二次元コード読取部、２６は二次元コードスキャナ、３０はサーバ、３１はＷｅｂサーバ、３２は名刺登録部、３３はプロファイル管理サーバ、３４はデータベースサーバ、３５はデータベースを構成するハードディスクを示し、前述の名刺所有者の本人プロフィール情報を、個人キーと閲覧キーとを含めて登録する。又端末装置２０は、図１に於ける端末装置５，６と二次元コードスキャナ７，８とに対応し、サーバ３０は、図１に於けるサーバ１，２とハードディスク３，４とに対応した構成を示す。又端末装置２０のブラウザクライアント２１と、サーバ３０のＷｅｂサーバ３１との間は、図１に示すように、ネットワーク９を介して接続されるものであるが、図２に於いては図示を省略しており、相互間でデータ通信を可能とする機能を備えている。
【００１７】
又サーバ３０の名刺登録部３２は、ユーザ対応に登録要求のあった受け取った名刺の情報（本人プロフィール情報）を、ハードディスク３５に形成した名刺フォルダーに登録整理し、ユーザからの検索要求により、名刺フォルダーを検索するフォルダー管理機能を含み、又プロフィール管理サーバ３３は、ユーザからの登録要求に従って、ハードディスク３５に本人プロフィール情報を登録又は更新し、その本人プロフィール情報をユーザの要求に従って読出す機能を含むものである。又データベースサーバ３４は、ハードディスク３５をデータベースとして、名刺フォルダーと本人プロフィール情報の登録管理を行う機能を含むものである。
【００１８】
又端末装置２０の二次元コードスキャナ２６は、名刺に印刷したＱＲコード等の二次元コードを光学的に走査読取りする構成が一般的であり、二次元コードには、本人プロフィール情報を登録しているＵＲＬと、閲覧キーと、個人キーとを含む情報がパターン情報として記録されており、二次元コード読取部２５は、二次元コードスキャナ２６による読取ったパターン情報からその内容の前述のＵＲＬ、閲覧キー、個人キーを識別する機能を有し、そのＵＲＬを基に、ブラウザクライアント２１は、サーバ３０にアクセスし、二次元コードから読取識別した個人キーと閲覧キーとの情報を基に閲覧要求を行う。例えば、図１に於けるＡＡ氏の場合、ＢＢ氏の名刺に印刷された二次元コードＱＲＢを二次元コードスキャナ２６により読取り、サーバ３０にアクセスすることになる。サーバ３０は、データベースサーバ３４によりハードディスク３５に登録されている本人プロフィール情報を、例えば、ＵＲＬにより検索して読出し、その本人プロフィール情報を、Ｗｅｂサーバ３１から端末装置２０へ送信する。端末装置２０は、ブラウザクライアント２１により受信し、表示入力部２２の制御により、表示装置２３に本人プロフィール情報を表示する。
【００１９】
図３は、本発明の実施例の名刺の説明図であり、勤務先の会社名と、氏名と、会社内の所属部署名と、住所と、電話番号とは、通常の名刺内容と同様であるが、その名刺上に、前述の二次元コードを印刷するものであり、この二次元コードはＱＲコードの場合を示し、その内容は、「ｈｔｔｐｓ：／／１１１．１１．１．１１／ＡＡｐｒｏｆｉｌｅ？Ｓｋｅｙ＝ＳＫＡＡ１１＆Ｐｋｅｙ＝ＰＫＡＡ」の場合を示し、本人プロフィール情報を保持するＵＲＬと、閲覧キー（Ｓｋｅｙ）と、個人キー（Ｐｋｅｙ）とを含む場合を示す。この二次元コードを、図２に於ける二次元コードスキャナ２６により光学的に走査して読取り、二次元コード読取部２５に転送して、二次元コードの内容を識別し、その識別内容のＵＲＬと、閲覧キーと、個人キーとを基に、ブラウザクライアント２１からサーバ３０にアクセスして、名刺に印刷された氏名に対応する本人プロフィール情報を、サーバ３０のハードディスク３５から読取り、Ｗｅｂサーバ３１からブラウザクライアント２１に送出して、端末装置２０の表示装置２３に表示して閲覧することができる。
【００２０】
図４は、本発明の実施例１の登録情報の説明図であり、閲覧キーと個人キーとフレンドリストとの関連を示す。又図１と同様に、ＡＡ氏の本人プロフィール情報は、サーバ１のデータベースに登録し、ＢＢ氏の本人プロフィール情報は、サーバ２のデータベースに登録し、ネットワーク９を介して端末装置６からアクセス可能の構成の場合を示す。又データベースには、個人名と個人キー（個人ｋｅｙ）とを対応して登録した領域と、プロフィール（名刺）と閲覧キー（閲覧ｋｅｙ）と本人プロフィール情報とを対応して登録した領域と、名刺交換した相手側の個人キーを登録するフレンド（名刺交換者）リストの領域とを含むものである。以下名刺交換後に、相手側の本人プロフィール情報を閲覧する一例の過程（１）〜（７）を説明する。
【００２１】
（１）．ＡＡ氏とＢＢ氏とが二次元コードが印刷された名刺を交換する。ＡＡ氏の名刺の二次元コードは、“ｈｔｔｐｓ：／／１１１．１１．１．１１／ＡＡｐｒｏｆｉｌｅ？Ｓｋｅｙ＝ＳＫＡＡ１１＆Ｐｋｅｙ＝ＰＫＡＡ”、ＢＢ氏の名刺の二次元コードは、“ｈｔｔｐｓ：／／２２２．２２．２．２２／ＢＢｐｒｏｆｉｌｅ？Ｓｋｅｙ＝ＳＫＢＢ１１＆Ｐｋｅｙ＝ＰＫＢＢ”のそれぞれ内容を有する場合を示している。
（２）．ＢＢ氏が、端末装置６の二次元コードスキャナ８によりＡＡ氏の名刺に印刷された二次元コードを読取る。
（３）．ＢＢ氏の端末装置６は、ネットワーク９を介してサーバ２にアクセスし、読取った二次元コードのデータを送信する。
（４）．サーバ２は、端末装置６からの二次元コードのデータの個人キーＰｋｅｙ“ＰＫＡＡ”をフレンド（名刺交換者）リストに登録する。この個人キーには、括弧内で示すＡＡ氏の本人プロフィール情報を登録したＵＲＬのサーバＩＰアドレス（１１１．１１．１．１１）を保持する。
【００２２】
（５）．サーバ２は、ＢＢ氏の個人キー“ＰＫＢＢ”をデータベースから取出し、この個人キー“ＰＫＢＢ”に、括弧内で示すサーバ２のＩＰアドレス（２２２．２２．２．２２）を付加する。
（６）．サーバ２は、ＢＢ氏の個人キー“ＰＫＢＢ（２２２．２２．２．２２）”と、端末装置６から送信された二次元コードのデータの閲覧キーＳｋｅｙ“ＳＫＡＡ１１”により、サーバ１のデータベースのＡＡ氏の本人プロフィール情報を閲覧する為にアクセスする。
（７）．サーバ１は、閲覧キーと、データベースに登録されているＡＡ氏の本人プロフィール情報の閲覧キーとを照合し、照合一致の場合は、ＢＢ氏からのアクセスを許可する。又照合不一致の場合は、アクセスを拒否する。アクセス許可時、更に、ＢＢ氏の個人キーが、ＡＡ氏のフレンド（名刺交換者）リストに登録されている場合は、ＡＡ氏の本人プロフィールの総てを閲覧可能とし、登録されていない場合は、一部の項目のみを閲覧可能とする。
【００２３】
ＡＡ氏に於いても同様にサーバ２にアクセスして、ＢＢ氏の本人プロフィール情報を閲覧することが可能となるが、フレンド（名刺交換者）リストに登録するタイミングによっては、相手の詳細項目の閲覧ができない場合も発生する。その場合は、相手側がフレンド（名刺交換者）リストに登録したと想定される時間が経過して、再アクセスすることにより閲覧可能となる。又二次元コードの中の個人キーは、更に暗号化したキー情報として印刷することも可能であり、それにより、本人プロフィール情報のセキュリティを高くすることも可能である。又ＢＢ氏が、名刺登録管理システムに属していない場合、ＡＡ氏の名刺の二次元コードを読取って、通常のブラウザ等により、ＡＡ氏が属する名刺登録管理システムのサーバ１にアクセスすることが可能であるが、ＢＢ氏の個人キー情報が不明であるから、ＡＡ氏の本人プロフィール情報の一部の項目の閲覧は許可されないように制御することができる。
【００２４】
図５は、本発明の実施例１の名刺交換と閲覧との処理過程の説明図であり、ＡＡ氏とＢＢ氏とが二次元コードを印刷した名刺を交換し、互いに本人プロフィール情報を閲覧する場合の過程（１）〜（１２）の一例について以下説明する。
（１）．ＡＡ氏とＢＢ氏とが、互いに、二次元コードを印刷した名刺を交換する。
（２）．ＡＡ氏は、端末装置５に接続した二次元コードスキャナ７により、ＢＢ氏の名刺の二次元コードを読取る。
（３）．端末装置５のログイン画面に従ってログインＩＤとパスワードとを入力する。
（４）．ＡＡ氏は、ログインにより、フレンドリストに、名刺交換者としてＢＢ氏について登録する。
（５）．ＡＡ氏は、ＢＢ氏の本人プロフィール情報に対するアクセスは、前述の図４に於ける過程（１）〜（７）の場合と同様に可能ではあるが、ＢＢ氏は未だＡＡ氏の名刺の二次元コードの読取りを行っていない場合、本人プロフィール情報の一部の例えば会社名と氏名と電話番号等の閲覧は可能であるが、メールアドレスや、携帯電話番号等の情報は秘匿される状態となる。
【００２５】
（６）．ＢＢ氏は、端末装置６に接続した二次元コードスキャナ８により、ＡＡ氏の名刺の二次元コードを読取る。
（７）．端末装置６のログイン画面に従って、ＢＢ氏は、ログインＩＤとパスワードとを入力する。
（８）．ＢＢ氏は、ログインにより、フレンドリストに、名刺交換者としてＡＡ氏を登録する。
（９）．ＢＢ氏は、ＡＡ氏のフレンドリストに登録されているから、ＡＡ氏の登録されている本人プロフィール情報の総てを閲覧することができる。
（１０）．ＢＢ氏は、名刺管理データベースのＢＢ氏の名刺フォルダーに、ＡＡ氏の本人プロフィール情報を登録する。
（１１）．ＡＡ氏も、ＢＢ氏のフレンドリストにＡＡ氏を登録したことにより、ＢＢ氏の本人プロフィール情報の総てを閲覧することが可能の状態となる。
（１２）．ＡＡ氏も名刺管理データベースのＡＡ氏の名刺フォルダーにＢＢ氏の本人プロフィール情報を登録する。
【００２６】
名刺管理データベースの名刺フォルダーに登録して管理する場合、各人の名刺フォルダーに、名刺交換により受け取った名刺の氏名対応に検索可能に登録し、且つ最新の本人プロフィール情報に従った更新も容易とすることができる。又その更新履歴も保存する用に構成することも可能である。
【００２７】
図６は、二次元コード無しの名刺と二次元コードつきの名刺とを交換した場合の処理過程の説明図であり、ＡＡ氏の名刺には二次元コードが印刷されていないが、ＢＢ氏の名刺には二次元コードが印刷されており、ＡＡ氏とＢＢ氏とが名刺交換した場合の過程（１）〜（１５）の一例について説明する。
（１）．ＡＡ氏とＢＢ氏とは名刺交換を行う。この時のＡＡ氏の名刺には二次元コードは印刷されていないが、ＢＢ氏の名刺には二次元コードが印刷されている。
（２）．ＡＡ氏は、端末装置に接続されている二次元コードスキャナにより、ＢＢ氏からの名刺に印刷されている二次元コードを読取る。
（３）．この時、ＡＡ氏は、名刺登録管理システムに登録していない場合であり、表示画面は新規登録を示す内容となる。
（４）．ＡＡ氏は、新規登録画面に従って本人プロフィール情報を入力し、登録キーをクリックする。
（５）．ＡＡ氏の本人プロフィール情報は、名刺管理データベースに登録される。
【００２８】
（６）．この時に、ＡＡ氏のフレンドリストに、名刺交換者のＢＢ氏を登録する。
（７）．又ＢＢ氏のフレンドリストには、名刺交換者のＡＡ氏については未承認の状態で登録される。
（８）．ＡＡ氏は、名刺登録管理システムに登録することにより、ＢＢ氏の本人プロフィール情報の閲覧は可能となるが、ＢＢ氏がＡＡ氏の名刺の二次元コードを読取っていないので、一部の項目については秘匿される。この場合の例では、ＢＢ氏のメールアドレスと携帯電話番号とが秘匿される。
（９）．ＢＢ氏は、ＡＡ氏の名刺に二次元コードが印刷されていないので、ログイン画面から名刺登録管理システムにログインする。
（１０）．この時、ＢＢ氏のフレンドリストには、ＡＡ氏は未承認の状態で追加されている。
【００２９】
（１１）．ＢＢ氏は、ＡＡ氏の本人プロフィール情報を閲覧し、未承認のＡＡ氏を承認するか否かを判断し、「はい」を選択して承認すると、ＡＡ氏の名刺に、二次元コードが印刷されている場合と同様の処理が得られる。
（１２）．ＡＡ氏とＢＢ氏とは、互いに名刺の二次元コードを読取っている場合と同様に、それぞれの本人プロフィール情報を閲覧することができる。
（１３）．ＢＢ氏は、ＡＡ氏の本人プロフィール情報を、名刺管理データベースの名刺フォルダーへ登録する。
（１４）．ＡＡ氏は、ＢＢ氏の本人プロフィール情報の全部を閲覧可能となる。
（１５）．ＡＡ氏も、ＢＢ氏の本人プロフィール情報を、名刺管理データベースの名刺フォルダーへ登録する。
【図面の簡単な説明】
【００３０】
【図１】本発明の実施例１の説明図である。
【図２】本発明の実施例１の要部構成説明図である。
【図３】本発明の実施例１の名刺の説明図である。
【図４】本発明の実施例１の登録情報の説明図である。
【図５】本発明の実施例１の名刺交換と閲覧との処理過程の説明図である。
【図６】本発明の実施例１の二次元コード無しの名刺と交換した場合の処理過程の説明図である。
【符号の説明】
【００３１】
１，２  サーバ
３，４  ハードディスク
５，６  端末装置
７，８  二次元コードスキャナ
９  ネットワーク
１０，１１  名刺
ＱＲＡ，ＱＲＢ  二次元コード
【図１】
2009043075.tif 000003
【図２】
2009043075.tif 000004
【図３】
2009043075.tif 000005
【図４】
2009043075.tif 000006
【図５】
2009043075.tif 000007
【図６】
2009043075.tif 000008